(57)【要約】【課題】混在物の搬送用の設備を改良して、混在物からの磁気制御可能な物品の申し分のないより分けを行うことができるようにする。【解決手段】磁気制御可能な物品のより分けのための装置、搬送ベルト２及び供給装置３を有している混在物の搬送用の設備において、搬送ベルトの上側若しくは下側に磁気式の装置６を配置してあり、該装置は、磁気制御可能な物品を、搬送ベルトの長手方向に、かつ／又は搬送ベルトの走行方向に対する横方向に加速するようになっている。【選択図】図１
2011111330.tif 000002
【特許請求の範囲】
【請求項１】
混在物の搬送用の設備（１）であって、磁気制御可能な物品のより分けのための装置、搬送ベルト（２）及び供給装置（３）を有している形式のものにおいて、前記搬送ベルト（２）の上側若しくは下側に磁気式の装置（６）を配置してあり、該装置は、前記磁気制御可能な物品を、前記搬送ベルト（２）の長手方向に、かつ／又は前記搬送ベルト（２）の走行方向に対する横方向に加速するようになっていることを特徴とする搬送用の設備。
【請求項２】
前記磁気式の装置（６）は、回転可能に支承されたディスク状の磁石支持体（８）を含んでいる請求項１に記載の設備。
【請求項３】
前記磁気式の装置（６）は、前記搬送ベルト（２）に対して位置調節可能及び／又は傾倒可能に配置されている請求項１又は２に記載の設備。
【請求項４】
前記磁気式の装置（６）は、該装置（６）の磁力若しくは作用方向を調節できるように形成されている請求項１から３のいずれか１項に記載の設備。
【請求項５】
前記磁気式の装置（６）は、少なくとも１つの永久磁石を有している請求項１から４のいずれか１項に記載の設備。
【請求項６】
前記磁気式の装置（６）は、少なくとも１つの電磁石を有している請求項１から５のいずれか１項に記載の設備。
【請求項７】
前記搬送ベルト（２）は種々の速度で駆動されるようになっている請求項１から６のいずれか１項に記載の設備。
【請求項８】
前記搬送ベルト（２）の少なくとも１つの縦側に、より分けられた物品のための導出装置（１１）が設けられている請求項１から７のいずれか１項に記載の設備。
【請求項９】
前記磁気式の装置（６）に加えて、非磁性の材料、例えば特殊鋼若しくはプラスチックから成っていて前記磁気式の装置（６）の作用を制御するための装置が設けられており、該装置は前記磁気式の装置（６）と前記搬送ベルト（２）との間に配置されている請求項１から８のいずれか１項に記載の設備。
【請求項１０】
前記搬送ベルト（２）の上側に、分離尖端部若しくは分離プレート及び／又は案内装置が配置されている請求項１から９のいずれか１項に記載の設備。
【発明の詳細な説明】
【技術分野】
【０００１】
本発明は、混在物の搬送用の設備であって、磁気制御可能な物品のより分けのための装置、搬送ベルト及び供給装置を有している形式のものに関する。
【背景技術】
【０００２】
実際に、混在する物品、つまり混在物の選別のための設備は、既に知られている。しかしながら、この種の公知の設備は、十分な処理を行うことができず、つまり分離を確実に行うことができるものではない。
【発明の概要】
【発明が解決しようとする課題】
【０００３】
本発明の課題は、前記形式の設備を改良し、該設備により、混在物からの磁気制御可能な物品の申し分のないより分け（選別）を行うことができるようにすることである。
【課題を解決するための手段】
【０００４】
前記課題を解決するために、本発明によれば、搬送ベルトの上側若しくは下側に磁気式の装置を配置してあり、該装置は、例えば磁性の物質や非磁性の物質が混在する混在物のうちの磁気制御可能な物品を、搬送ベルトの長手方向（走行方向）に、かつ／又は搬送ベルトの走行方向に対する横方向に加速するようになっている。
【０００５】
本発明に基づく上記構成により、磁気制御可能な物品は既に搬送ベルトの終端の前でより分けられており、ひいては、他の物品、例えば非磁性の物品からの磁気制御可能な物品（磁性の物品若しくは物質）の確実な分離を行うことができるようになっている。
【０００６】
本発明の有利な実施の形態によれば、磁気式の装置は、回転可能に支承されたディスク状の磁石支持体を含んでいる。このような構成により、磁場の矢継ぎ早に繰り返される作用を達成することができ、結果として、混在率の著しく高い磁気制御可能な物品をより分けることができるようになっている。磁石支持体の回転数は制御されるようになっていてよい。
【０００７】
本発明の極めて有利な実施の形態によれば、磁気式の装置は、搬送ベルトに対して位置調節可能及び／又は傾倒可能に配置されている。このような構成により、より分けるべき混在物への磁気式の装置の作用を、広い範囲で調節し、ひいては種々の要求若しくは条件に適合させることができるようになっている。
【０００８】
本発明の更に有利な実施の形態によれば、磁気式の装置は、該装置の磁力や作用方向を調節若しくは変更できるように形成されている。更に別の実施の形態では、磁石の磁気の作用の頻度を調節することも可能である。
【０００９】
本発明の極めて有利な実施の形態によれば、磁気式の装置は、少なくとも１つの永久磁石を有している。特にディスク状の回転可能な磁石支持体の場合には、複数の磁石の配置が有利である。
【００１０】
本発明の実施の形態では、永久磁石が設けられており、別の実施の形態では、電磁石が設けられている。永久磁石と電磁石の組合せも可能である。
【００１１】
本発明の更に有利な実施の形態によれば、搬送ベルトは種々の速度で駆動されるようになっている。このような構成により、選別過程を制御することもできるようになっている。
【００１２】
更に本発明の有利な実施の形態によれば、搬送ベルトの少なくとも１つの縦側（走行方向に延びる側）に、より分けられた物品のための導出装置若しくは排出装置が設けられている。
【００１３】
本発明の別の実施の形態によれば、磁気式の装置に加えて、非磁性の材料、例えば特殊鋼又は合金鋼若しくはプラスチックから成っていて磁気式の装置の作用を制御するための装置が設けられており、該装置は磁気式の装置と搬送ベルトとの間に配置されていてよい。このような構成により、特に永久磁石を用いる場合に、選別が効果的に行われるようになっている。
【００１４】
搬送ベルトの上側に、追加的に分離尖端部若しくは楔状分離部材若しくは分離プレート及び／又は案内装置（ガイド装置）が配置されていてよい。このような構成により、物品流の制御を可能にすることができ、ひいては選別若しくは分離の更なる改善を達成することができる。
【図面の簡単な説明】
【００１５】
【図１】混在物の搬送用の設備の斜視図である。
【図２】設備の縦断面図である。
【図３】設備を、該設備のディスクがわずかに側方へ移動させられた状態で示す図である。
【図４】設備を、該設備のディスクが該ディスクの半分にわたって側方へ移動させられた状態で示す図である。
【発明を実施するための形態】
【００１６】
図示の設備１は、搬送ベルト２並びにホッパー状に形成された供給装置３を有している。搬送ベルト２は、概略的に示すローラ４を介して案内されかつ駆動されるようになっている。
【００１７】
供給装置３はその前側に切欠き５を有しており、該切欠きによって、該切欠きから供給される混在物流層は、該混在物流層の厚さが制限されるようになっている。
【００１８】
搬送ベルト２の下側に磁気式の装置６を配置してあり、該装置は駆動モータ７及びディスク８から成っている。ディスク８は、有利には非磁性の材料から成っていて、複数の磁石９を支持している。磁石９は永久磁石として、或いは電磁石として形成されている。磁石の磁力若しくは磁石の磁気作用の頻度は調節されるようになっていてよい。磁気作用の頻度の調節は、永久磁石を用いる場合には、駆動モータ７、ひいてはディスク８の回転数の調節によって行われてよく、また、電磁石を用いる場合には電磁石のオン・オフの制御によっておこなわれてよい。
【００１９】
駆動モータ７及びディスク８は一緒に２つのレール１０上に支承されており、該レールは搬送ベルトの走行方向に対して横方向に、例えば走行方向に対して垂直又は直角に延びており、該レール上を磁気式の装置６が移動するようになっている。
【００２０】
追加的に、磁気式の装置６のための傾倒装置を設けることができる。
【００２１】
設備１には搬送ベルト２の縦側（側方）に導出装置１１を取り付けてあり、該導出装置は、より分けられた磁性の物品の確実な導出若しくは排出のために用いられている。
【００２２】
搬送ベルト２と磁気式の装置６との間には、非磁性の材料から成っていて磁力を制御するための装置が追加的に設けられていてよい。
【００２３】
搬送ベルトの上側には、物品流（材料流）を意図的に例えば側方へ導くため又は移動させるための単数若しくは複数の案内装置若しくは分離尖端部或いは分離プレートを設けることができ、このような構成により、磁気制御可能な物品若しくは材料のより分け（選別）を容易に行うことができるようになっている。
【００２４】
搬送ベルト２は、搬送速度をより分け速度に適合させるために、種々の速度で駆動されるようになっていてよい。
【符号の説明】
【００２５】
１  設備、  ２  搬送ベルト、  ３  供給装置、  ４  ローラ、  ５  切欠き、  ６  装置、  ７  駆動モータ、  ８  ディスク、  ９  磁石、  １０  レール、  １１  導出装置
【図１】
2011111330.tif 000003
【図２】
2011111330.tif 000004
【図３】
2011111330.tif 000005
【図４】
2011111330.tif 000006